(57)【要約】【課題】映像出力切替え装置において、３次元映像出力が有効な状態で３次元映像が出力可能となったときに、３次元映像出力を無効として２次元映像を出力するように設定を切り替えるのに必要な作業の手間を減らす。【解決手段】映像出力切替え装置は、３次元映像が出力可能になったときに（Ｓ１でＹｅｓ）、選択画面表示モードに設定されていれば（Ｓ２でＹｅｓ）、３次元映像をそのまま出力するか、又は３次元映像を基に生成された２次元映像を出力するかを選択するための選択画面を表示器に自動表示させる（Ｓ３）。これにより、選択画面表示モードで３次元映像が出力可能になったときに、出力について、３次元映像をそのまま出力する３次元有効状態から、３次元映像から２次元映像を生成しそれを出力する３次元無効状態にユーザが切り替えたければ、自動表示された選択画面を用いればよく、従来のように例えば設定画面を手動で表示させることをしなくて済む。【選択図】図３
2012095056.tif 000002
【特許請求の範囲】
【請求項１】
表示手段が接続され、その表示手段に２次元映像と３次元映像のいずれかを出力して表示させる出力手段と、
前記出力手段の出力モードとして、３次元映像が出力可能なときには３次元映像をそのまま出力する３次元有効モードと、３次元映像が出力可能なときであっても３次元映像を基に２次元映像を生成し出力する３次元無効モードのいずれかを設定するための出力モード設定手段と、を備えた映像出力切替え装置において、
前記表示手段に表示される画面を操作するための画面操作手段を備え、
前記出力モード設定手段は、前記出力手段の出力モードとして、３次元映像が出力可能になったときに、３次元映像をそのまま出力するか又はその３次元映像を基に生成された２次元映像を出力するかを選択するための選択画面を前記表示手段に自動的に表示させる選択画面表示モードを設定することがさらに可能とされており、
前記出力手段は、前記出力モード設定手段により前記選択画面表示モードに設定されているときに３次元映像が出力可能になると、前記表示手段に前記選択画面を出力して表示させ、その選択画面上でユーザが前記画面操作手段を用いて３次元映像を選択した場合には３次元映像を出力し、該選択画面上でユーザが該画面操作手段を用いて２次元映像を選択した場合には３次元映像を基に生成された２次元映像を出力することを特徴とする映像出力切替え装置。
【請求項２】
前記出力モード設定手段は、前記各種モードのうちのいずれかを選択するための設定画面を前記出力手段を用いて前記表示手段に表示させ、その設定画面上でユーザが前記画面操作手段を用いて選択したモードを前記出力モードに設定することを特徴とする請求項１に記載の映像出力切替え装置。
【発明の詳細な説明】
【技術分野】
【０００１】
本発明は、３次元映像を出力可能なときに、それをそのまま出力するか、又は３次元映像を基に２次元映像を生成し出力するかを切り替えることが可能な映像出力切替え装置に関する。
【背景技術】
【０００２】
従来から、表示器に映像を出力して表示させる映像再生装置等に設けられ、表示器に３次元映像を出力可能なときに、３次元映像をそのまま出力するか、又は３次元映像から２次元映像を生成してそれを出力するかをユーザが切替え可能な映像出力切替え装置（以下、出力切替え装置という）が知られている。この出力切替え装置には、上記２種の出力内容にそれぞれ対応した３次元有効モードと３次元無効モードとが有り、これらのモードのいずれかがユーザにより選択され設定される（例えば、特許文献１参照）。
【０００３】
ここで、上記出力切替え装置が３次元有効モードに設定された状態で、家族等の複数のユーザが同時に映像を見ていて、それらのユーザの中に３次元映像の嫌いなユーザがおり、表示対象の映像が２次元映像から３次元映像に切り替わったとする。この場合に、３次元映像出力を無効とし、出力映像を２次元化するには、まずモードの設定画面等を表示させ、それからモードを設定し直す必要があり、手間が掛かる。
【０００４】
ところで、２次元コンテンツ及び３次元コンテンツを出力可能な出力装置とユーザとの位置関係を取得し、その位置関係に応じて、上記２種のコンテンツのうち、適切なコンテンツを特定し、そのコンテンツを上記出力装置から出力させる端末装置が知られている（例えば、特許文献２参照）。しかしながら、この端末装置によって上記問題を解決することは困難である。
【先行技術文献】
【特許文献】
【０００５】
【特許文献１】特開２０１０−１５４５３３号公報
【特許文献２】特開２００９−２９６４２０号公報
【発明の概要】
【発明が解決しようとする課題】
【０００６】
本発明は、上記の従来の問題を解決するためになされたものであり、３次元映像出力が有効な状態で３次元映像が出力可能となったときに、３次元映像出力を無効として２次元映像を出力するように設定を切り替えるのに必要な作業の手間を減らすことができ、作業を簡単化することができる映像出力切替え装置を提供することを目的とする。
【課題を解決するための手段】
【０００７】
上記目的を達成するために本発明は、表示手段が接続され、その表示手段に２次元映像と３次元映像のいずれかを出力して表示させる出力手段と、前記出力手段の出力モードとして、３次元映像が出力可能なときには３次元映像をそのまま出力する３次元有効モードと、３次元映像が出力可能なときであっても３次元映像を基に２次元映像を生成し出力する３次元無効モードのいずれかを設定するための出力モード設定手段と、を備えた映像出力切替え装置において、前記表示手段に表示される画面を操作するための画面操作手段を備え、前記出力モード設定手段は、前記出力手段の出力モードとして、３次元映像が出力可能になったときに、３次元映像をそのまま出力するか又はその３次元映像を基に生成された２次元映像を出力するかを選択するための選択画面を前記表示手段に自動的に表示させる選択画面表示モードを設定することがさらに可能とされており、前記出力手段は、前記出力モード設定手段により前記選択画面表示モードに設定されているときに３次元映像が出力可能になると、前記表示手段に前記選択画面を出力して表示させ、その選択画面上でユーザが前記画面操作手段を用いて３次元映像を選択した場合には３次元映像を出力し、該選択画面上でユーザが該画面操作手段を用いて２次元映像を選択した場合には３次元映像を基に生成された２次元映像を出力することを特徴とする。
【０００８】
この発明において、前記出力モード設定手段は、前記各種モードのうちのいずれかを選択するための設定画面を前記出力手段を用いて前記表示手段に表示させ、その設定画面上でユーザが前記画面操作手段を用いて選択したモードを前記出力モードに設定することが好ましい。
【発明の効果】
【０００９】
本発明によれば、３次元映像が出力可能になったとき、出力モードが選択画面表示モードに設定されていれば、選択画面が自動的に表示されるので、ユーザが、出力について、３次元映像をそのまま出力する３次元有効状態から、３次元映像を基に２次元映像を生成しそれを出力する３次元無効状態に切り替えたければ、自動表示された選択画面を用いればよく、従来のように例えば設定画面を手動で表示させることをしなくて済む。そのため、切替え作業の手間を減らすことができ、作業が簡単になる。
【図面の簡単な説明】
【００１０】
【図１】本発明の一実施形態に係る映像出力切替え装置を有する映像再生装置の電気的ブロック図。
【図２】上記映像出力切替え装置の各出力モードを設定するための設定画面を示す図。
【図３】上記映像出力切替え装置における出力切替え処理のフローチャート。
【図４】上記映像出力切替え装置が選択画面表示モードであるときに出力する選択画面を示す図。
【発明を実施するための形態】
【００１１】
本発明の一実施形態に係る映像出力切替え装置（以下、出力切替え装置という）について図面を参照して説明する。図１は、その出力切替え装置を備えた映像再生装置の構成を示す。映像再生装置１は、ＤＶＤ等の光ディスク２に記録された映像等を再生する装置であり、当該装置に接続された表示器３（表示手段）、例えばテレビジョン受像機に再生映像を出力して表示させる。上記の出力切替え装置４は、その出力予定の映像が３次元映像であった場合、ユーザにより設定された出力モードに従って、３次元映像をそのまま出力するか又は３次元映像を基に２次元映像を生成して出力する。
【００１２】
映像再生装置１は、光ディスク２を回転駆動するスピンドルモータ１１と、回転する光ディスク２から信号を読み取り、ＲＦ信号の形式で出力する光ピックアップ１２と、その出力されたＲＦ信号の２値化処理等を行うＲＦ信号処理回路１３とを備える。また、映像再生装置１は、ＲＦ信号処理回路１３により２値化処理された信号を映像信号、音声信号及びデータ信号に分離するデマルチプレクサ１４と、その分離された各種信号を復号するデコーダ１５とを備える。出力切替え装置４は、デコーダ１５により復号された各種信号のうちの映像信号を表示器３に出力して表示させる。
【００１３】
出力切替え装置４は、表示器３が接続され、出力モードに基づいて表示器３に２次元映像と３次元映像のいずれかを出力して表示させる出力回路４１（出力手段）と、出力回路４１の出力モードを設定するための出力モード設定回路４２（出力モード設定手段）とを有する。また、出力切替え装置４は、出力モード設定回路４２を操作するための操作部４３及びリモートコントローラ（以下、リモコンという）４４と、リモコン４４から無線送信される操作信号を受信し出力モード設定回路４２に転送する受信回路４５とを有する。操作部４３及びリモコン４４は、表示器３に表示される各種画面を操作するための画面操作手段を構成する。
【００１４】
出力回路４１は、マイクロプロセッサ等により構成され、表示器３のＯＳＤ（On-Screen Display）制御等を行う。出力回路４１は、出力モードとして、３次元有効モードと、３次元無効モードと、選択画面表示モードとが設定可能であり、これらのいずれかが出力モード設定回路４２により設定される。３次元有効モードは、３次元映像が出力可能になったときに３次元映像をそのまま自動的に出力するモードである。３次元無効モードは、３次元映像が出力可能になったときに３次元映像を基に２次元映像を自動的に生成して出力するモードであり、２次元映像の生成は、３次元映像を形成する左眼用映像及び右眼用映像のうちのいずれかを抜き出すことによりなされる。選択画面表示モードは、３次元映像が出力可能になったときに所定の選択画面を自動的に表示させるモードであり、その選択画面は、３次元映像をそのまま出力するか又はその３次元映像を基に生成された２次元映像を出力するかを選択するための画面である。出力回路４１は、出力映像が３次元映像と２次元映像のいずれであるかをその出力映像に関するデータを基に判別し、その判別結果に基づき、３次元映像が出力可能であるか否かを判断する。出力映像に関するデータは、デコーダ１５により復号されたデータ信号から得られる。
【００１５】
出力回路４１は、図２に示されるような設定画面３１を表示させることが可能であり、設定画面３１は、上記３種のモードのうちのいずれかを選択するための画面である。設定画面３１には、上記３種のモードにそれぞれ対応する３個のボタン３１ａ〜３１ｃが表示され、ユーザがボタン３１ａ〜３１ｃのいずれかを押下げるように操作することで、そのボタンに対応するモードが選択される。設定画面３１は図示のレイアウトに限定されない。
【００１６】
ところで、出力回路４１による出力映像が２次元映像であれば、表示器３を２次元映像表示に対応した設定とし、上記出力映像が３次元映像であれば、表示器３を３次元映像表示に対応した設定とする必要があり、これらの設定を自動的に行うことができれば便利である。
【００１７】
そこで、出力回路４１は、表示器３がＨＤＭＩ等のインタフェースを介して出力回路４１により表示設定を行うことが可能なタイプであるか否かを判別する。表示器３が出力回路４１による表示設定を行うことが可能なタイプであると判別された場合、３次元有効モードであれば３次元映像を出力可能となったときに、また、選択画面表示モードであれば３次元映像を出力可能となり、かつ選択画面から３次元映像表示が選択されたときに、出力回路４１は、表示器３の表示設定を自動的に３次元映像に対応したものとする。一方、表示器３が出力回路４１による設定に非対応のタイプであると判別された場合、出力回路４１は、３次元映像が出力可能となったときに、表示器３を３次元映像表示に対応した設定に変更するようユーザに促すメッセージを表示器３に出力して表示させる。表示器３のタイプ判別は、例えば、所定コマンドを表示器３に送信し、その後に表示器３から返信された信号が「非対応」と「対応」のいずれを示すか、又は所定コマンド送信後、所定期間、返信がなく、タイムアウトになるか否かに応じて判別される。また、表示器３のタイプ判別は、例えば、出力回路４１と表示器３とが接続されたときか、出力回路４１の出力モードが選択画面表示モードに設定されたときか、又は選択画面が表示されるときに行われる。
【００１８】
出力モード設定回路４２は、操作部４３及びリモコン４４からの操作信号に基づいて出力回路４１を制御する。出力モード設定回路４２は、設定画面３１を出力回路４１を用いて表示器３に表示させ、その設定画面３１上でユーザが操作部４３又はリモコン４４を用いて選択したモードを出力回路４１の出力モードに設定する。また、出力モード設定回路４２は、選択画面表示モード時に、選択画面を出力回路４１を用いて表示器３に表示させ、その選択画面上でユーザが操作部４３又はリモコン４４を用いて選択した内容に従って動作するように出力回路４１を制御する。
【００１９】
操作部４３及びリモコン４４は、ユーザの操作内容に対応した操作信号を出力モード設定回路４２に送信する。操作部４３は、映像再生装置１の本体に設けられた各種の操作キー、操作ボタン又は操作スイッチ、若しくはタッチパネル等により構成される。リモコン４４は、映像再生装置１の本体とは別体であり、各種の操作キー又は操作ボタン等を有する。
【００２０】
図３は、出力回路４１における出力切替え処理の手順を示す。出力回路４１は、３次元映像を出力可能な状態に変更したとき（例えば、再生映像が２次元映像から３次元映像に切り替わったとき）に（Ｓ１でＹｅｓ）、出力モードが選択画面表示モードに設定されていれば（Ｓ２でＹｅｓ）、表示器３に、図４に示されるような選択画面３２を出力して表示させる（Ｓ３）。選択画面３２は、３次元映像、及び２次元映像にそれぞれ対応する、「３Ｄ」と表記されたボタン３２ａ、及び「２Ｄ」と表記されたボタン３２ｂを表示する。ユーザがボタン３２ａ、３２ｂのいずれかを押下げるように操作することで、そのボタンに対応する映像が選択される。選択画面３２は図示のレイアウトに限定されない。
【００２１】
選択画面３２上でユーザが操作部４３又はリモコン４４を用いて３次元映像を選択した場合には（Ｓ４でＹｅｓ）、出力回路４１は３次元映像を出力する（Ｓ５）。選択画面３２上でユーザが操作部４３又はリモコン４４を用いて２次元映像を選択した場合には（Ｓ４でＮｏ）、出力回路４１は３次元映像を基に２次元映像を生成し（Ｓ６）、その生成された２次元映像を出力する（Ｓ７）。
【００２２】
出力映像が２次元映像であり、３次元映像を出力可能な状態でなければ（Ｓ１でＮｏ）、出力回路４１は２次元映像をそのまま出力する（Ｓ８）。出力回路４１は、３次元映像を出力可能な状態に変更したときに、出力モードが選択画面表示モードではなく（Ｓ２でＮｏ）、３次元有効モードに設定されていれば（Ｓ９でＹｅｓ）、Ｓ５の処理を実行し、出力モードが３次元無効モードに設定されていれば（Ｓ９でＮｏ）、Ｓ６及びＳ７の処理を行う。
【００２３】
本実施形態においては、３次元映像が出力可能になったとき、出力モードが選択画面表示モードに設定されていれば、選択画面３２が自動的に表示されるので、ユーザが、出力について、３次元映像をそのまま出力する３次元有効状態から、３次元映像を基に２次元映像を生成しそれを出力する３次元無効状態に切り替えたければ、自動表示された選択画面３２を用いればよく、従来のように例えば設定画面を手動で表示させることをしなくて済む。そのため、切替え作業の手間を減らすことができ、作業が簡単になる。
【００２４】
また、設定画面３１から出力回路４１の各種モードのいずれかを選択するだけで、その選択されたモードが出力回路４１の出力モードに設定されるので、設定作業が簡単になる。
【００２５】
なお、本発明は、上記の実施形態の構成に限定されるものでなく、使用目的に応じ、様々な変形が可能である。例えば、出力切替え装置４は、テレビジョン受像機に設けられ、出力回路４１は、受信テレビジョン放送信号の放送番組が３次元映像と２次元映像のいずれであるかを電子番組表内の番組情報から判断し、ディスプレイ（表示手段）への出力映像を切り替えるようにしてもよい。
【符号の説明】
【００２６】
３  表示器（表示手段）
３１  設定画面
３２  選択画面
４  映像出力切替え装置
４１  出力回路（出力手段）
４２  出力モード設定回路（出力モード設定手段）
４３  操作部（画面操作手段を構成）
４４  リモートコントローラ（画面操作手段を構成）
【図１】
2012095056.tif 000003
【図２】
2012095056.tif 000004
【図３】
2012095056.tif 000005
【図４】
2012095056.tif 000006